(57)【特許請求の範囲】
【請求項１】
棚板により上下に仕切られた筐体の前面に、前扉を、ほぼ上下方向に向けて、前記筐体の前面を閉塞する閉塞位置と、前記筺体内にほぼ水平に収納して筺体の前面を開放する開放位置とに移動可能として設けた雑誌架において、
前記前扉を、中央部に開口を設けた扉本体と、この扉本体の前面に、前記開口を閉塞するように取り付けた透光板とにより構成し、かつ
左右方向を向く棒材の両端を後方に向けて折曲して形成され、一端を、扉本体の一側部の中位部に、かつ他端部を、扉本体の他側部の下部に止着することにより、透光板の前面に立て掛けた雑誌等の転倒を防止する支杆と、
前記支杆の両端と扉本体とを、それらの間に透光板を挟んで締着する締着手段と、
前記扉本体の上部に、前方に向けて屈曲して形成され、前記透光板の上端部と係合する下向き鉤形の上部係止片
とを備えることを特徴とする雑誌架。
【請求項２】
扉本体の下端に、前方に突出することにより、雑誌等を受支する受け板を取り付け、この受け板に透光板の下端を当接させて支持したことを特徴とする請求項１記載の雑誌架。
【請求項３】
受け板に、上向きの切起し片を設け、この切起し片の後面に、透光板の下端部前面を係止させたことを特徴とする請求項２記載の雑誌架。
【請求項４】
支杆の中間部を正面視へ字状に屈曲したことを特徴とする請求項１〜３のいずれかに記載の雑誌架。
【請求項５】
透光板を、半透明の材料により形成したことを特徴とする請求項１〜４のいずれかに記載の雑誌架。
【請求項６】
扉本体の周縁部に対応した透光板の周縁部に、縁取り装飾を施したことを特徴とする請求項１〜５のいずれかに記載の雑誌架。
【発明の詳細な説明】
【技術分野】
【０００１】
本発明は、雑誌等の収納用として用いられる複数の前扉付きの雑誌架に関する。
【背景技術】
【０００２】
従来、筺体内に上下多段に棚板を架設し、筺体の前面開口部に、多数の前扉を、開口部を閉塞する閉塞位置から下端を前上方に持ち上げてほぼ水平とした後、後方に押し込むことにより、上段の棚板の下に収納することができ、閉扉時には、前扉の前面に最新刊の雑誌等を装着して展示でき、かつ前扉の後方の空間内には、バックナンバーの雑誌等を収納しうるようにした雑誌架がある（例えば、特許文献１参照）。
【特許文献１】特開２００２−３５５１３１号公報
【発明の開示】
【発明が解決しようとする課題】
【０００３】
しかし、特許文献１に記載されているものは、前扉が金属板で構成されているため、前扉の後方を見ることができず、筺体内に収納されている雑誌等の収納物を確認するためには、その都度前扉を開かなければならず、面倒である。
【０００４】
本発明は、従来の技術が有する上記のような問題点に鑑み、前扉を開くことなく、後方の収納物を確認することができるとともに、組み立てが容易であり、しかも体裁のよい雑誌架を提供することを目的としている。
【課題を解決するための手段】
【０００５】
本発明によると、上記課題は次のようにして解決される。
(１)棚板により上下に仕切られた筐体の前面に、前扉を、ほぼ上下方向に向けて、前記筐体の前面を閉塞する閉塞位置と、前記筺体内にほぼ水平に収納して筺体の前面を開放する開放位置とに移動可能として設けた雑誌架において、前記前扉を、中央部に開口を設けた扉本体と、この扉本体の前面に、前記開口を閉塞するように取り付けた透光板とにより構成し、かつ左右方向を向く棒材の両端を後方に向けて折曲して形成され、一端を、扉本体の一側部の中位部に、かつ他端部を、扉本体の他側部の下部に止着することにより、透光板の前面に立て掛けた雑誌等の転倒を防止する支杆と、前記支杆の両端と扉本体とを、それらの間に透光板を挟んで締着する締着手段と、前記扉本体の上部に、前方に向けて屈曲して形成され、前記透光板の上端部と係合する下向き鉤形の上部係止片とを備えるものとする。
【０００６】
(２)上記(１)項において、扉本体の下端に、前方に突出することにより、雑誌等を受支する受け板を取り付け、この受け板に透光板の下端を当接させて支持する。
【０００７】
(３)上記(２)項において、受け板に、上向きの切起し片を設け、この切起し片の後面に、透光板の下端部前面を係止させる。
【０００８】
(４)上記(１)〜(３)項のいずれかにおいて、支杆の中間部を正面視へ字状に屈曲する。
【０００９】
(５)上記(１)〜(４)項のいずれかにおいて、透光板を、半透明の材料により形成する。
【００１０】
(６)上記(１)〜(５)項のいずれかにおいて、扉本体の周縁部に対応した透光板の周縁部に、縁取り装飾を施す。
【発明の効果】
【００１１】
本発明によると、次のような効果を奏することができる。
請求項１記載の発明によると、開口を設けた扉本体の前面に、開口を閉塞するように透光板を取り付けてあるので、前扉により内部の収納雑誌を塵埃等から保護することができるとともに、前扉を開けることなく、透光板を透して内部の収納雑誌を確認することができ、しかも体裁がよい。
また、支杆の両端と扉本体と透光板とを、締着手段により共締めして、簡単に一体化することができるので、組み立て作業が容易である。
さらに、透光板の前面に立て掛けた雑誌等を、扉本体の下部に向かう支杆の斜め上方から出し入れし易く、また、透光板の左右の側部を、高さを異ならせて、扉本体に締着することができる。
【００１２】
請求項２記載の発明によると、扉本体の下端の受け板を利用して透光板の下端を安定的に支持することができる。
【００１３】
請求項３記載の発明によると、受け板の切起し片に透光板の下端部前面を係止させることにより、受け片の下端の前方への動きを阻止することができる。
【００１４】
請求項４記載の発明によると、支杆の中間部を正面視へ字状に屈曲してあるので、透光板の前面に立て掛けた雑誌等を、扉本体の下部に向かう支杆の斜め上方から出し入れし易やすい。
【００１５】
請求項５記載の発明によると、透光板を半透明の材料により形成してあるので、透光板を透して収納雑誌を確認することができるとともに、金属製の扉本体をソフトにカバーし、見栄えをよくすることができる。
【００１６】
請求項６記載の発明によると、透光板の周縁部に縁取り装飾を施してあるので、その装飾により、扉本体を体裁よく隠すことができ、見栄えをよくすることができる。
【発明を実施するための最良の形態】
【００１７】
以下、本発明の実施の形態を、添付図面を参照して説明する。
図１は、本発明の雑誌架の一実施形態を示す正面図、図２は図１のII−II線に沿う縦断側面図である。
【００１８】
雑誌架の筐体(１)内は、複数の棚板(２)により上下方向に多段状に仕切られ、筐体(１)の前面開口部(３)には、複数の前扉(４)が、以下に説明するようにして、左右方向に並べて取り付けられている。
【００１９】
すなわち、棚板(２)及び筐体(１)における天板(1a)の下面には、前後方向を向くレール(５)が片面または両面に固着されたレールブラケット(６)が取り付けられており、前扉(４)の裏面の上部に左右方向を向く軸線まわりに回転可能として設けられたローラ(７)が、レール(５)に前後方向に移動可能として支持され、かつ案内されている。
【００２０】
前扉(４)は、図２に矢印(Ａ)で示してあるように、棚板(２)の下方に、棚板(２)とほぼ平行をなすように収納された開放位置から、同図の矢印(Ｂ)に示してあるように、想像線で示すほぼ水平位置に引き出した後、前端を下向き回動させて、矢印(Ｃ)で示す閉塞位置まで、及びその逆方向に移動させることができるようになっている。
【００２１】
図３は、前扉の分解斜視図、図４は、前扉の正面図、図５は、図４の右側面図である。
図３に示すように、前扉(４)は、前部に開口(4c)が形成された枠状の扉本体(4a)と、この扉本体(4a)の前面に取り付けられた透光板(4b)とにより構成されている。扉本体(4a)の上部には、下向き鉤形の上部係止片(８)が、前方に向けて折曲形成され、両側部には、側部支持片(９)(９)が後方に向けて折曲形成されている。側部支持片(９)(９)の内側にはブラケット(10)が固着され、このブラケット(10)のねじ孔(11)に、上記ローラ(７)の軸(7a)が螺着されている。
【００２２】
扉本体(4a)の下端には、雑誌やその他の書籍、またはその他の陳列品(以下雑誌等という)の下端を受ける受け板(12)が、その後端両側に形成した上向きの取付片(13)を、扉本体(4a)の側部支持片(９)(９)の後面に溶接し、かつ受け片(12)の後部中央に上向きに折曲形成した後部係止片(14)を、扉本体(4a)の下端部後面に溶接することにより、取り付けられている。
受け片(12)における後部係止片(14)より前方の左部には、透光板(4b)の下端部前面に当接するようにした上向きの切起し片(15)が設けられている。
【００２３】
透光板(4b)は、扉本体(4a)とほぼ同形状のもので、透明材料でもよいが、後方が透けて見える程度の、例えば乳白色等の半透明材料により形成するのが好ましい。この透光板(4b)は、その上端を、上部受け片(８)の下面に係合し、かつ下端を、切起し片(15)の後面に当接するようにして、受け片(12)上に載置し、以下のようにして、支杆(16)とともに、締着手段(17)をもって、扉本体(4a)の前面に、共締めされている。
【００２４】
支杆(16)は、前扉(４)の前面に立て掛けた雑誌等を囲んで、その前方への倒れを防止するためのもので、左右方向を向く棒材の中間部(16a)を正面視へ字状に屈曲し、その両端部を後方に向けて折曲形成した後向片(16b)(16b)の後端に、それより小径の雄ねじ部(16c)(16c)を連設したものよりなっている。
【００２５】
扉本体(4a)と透光板(4b)との左側部の中位部と右側部の下部とには、雄ねじ部(16c)(16c)が挿通しうる貫通孔(18)(18)(19)(19)が穿設されており、それらの貫通孔(18)(18)と貫通孔(19)(19)とを整合させて、支杆(16)の雄ねじ部(16c)(16c)をそれらに挿通し、各雄ねじ部(16c)の後端部にナット(20)を螺合して、締め付けることにより、支杆(16)の後向片(16b)(16b)の後端とナット(20)との間に、透光板(4b)と扉本体(4a)とを挟んで締着してある。すなわち、雄ねじ部(16c)とナット(20)とからなる締着手段(17)により、支杆(16)と透光板(4b)とを、扉本体(4a)に共締めしてある。
【００２６】
このように、支杆(16)の中間部(16a)を、正面視へ字状に屈曲し、支杆(16)の左端を、扉本体(4a)の左側部の中位部に、かつ支杆(16)の右端を、扉本体(4a)の右側部の下部に止着したことにより、透光板(4b)の前面に立て掛けた雑誌等を、扉本体(4a)の下部に向かう支杆(16)の右半部から斜め上方へ出し入れし易く、また、透光板の左右の側部を、高さを異ならせて、扉本体に締着することができる。
なお、支杆(16)の中間部(16a)を、直線状のものとして、その右端を、透光板(4b)を介して、扉本体(4a)の右側部の下部または中位部に止着してもよい。
【００２７】
受け片(12)の右側部に、左側部における切起し片(15)と同様の切起し片を設けていないのは、右方の締着手段(17)により、透光板(4b)の右下部を扉本体(4a)に締着するためであるが、ここにも、切起し片(15)と同様の切起し片を設けてもよい。
【００２８】
透光板(4b)の周縁部には、扉本体(4a)の前面形状に対応した部分に、例えばパンチングボード状、またはその他の模様の縁取り装飾(21)を施してある。これによって、扉本体(4a)が透けて見えることをカムフラージュすることができ、見栄えがよくなる。
【００２９】
以上のように、本発明によると、扉本体(4a)の前面に透光板(4b)を設けてあるので、筺体(１)内に収納した雑誌等を塵埃等から保護することができるとともに、前扉(４)を開けなくても、透光板(4b)を透して内部の収納雑誌等を確認することができる。
【図面の簡単な説明】
【００３０】
【図１】本発明の雑誌架の一実施形態の一部を省略して示す正面図である。
【図２】図１のII−II線に沿う縦断側面図である。
【図３】前扉の分解斜視図である。
【図４】前扉の正面図である。
【図５】図４の右側面図である。
【符号の説明】
【００３１】
(１)筺体
(1a)天板
(２)棚板
(３)前面開口部
(４)前扉
(4a)扉本体
(4b)透光板
(4c)開口
(５)レール
(６)レールブラケット
(７)ローラ
(7a)軸
(８)上部係止片
(９)側部支持片
(10)ブラケット
(11)ねじ孔
(12)受け板
(13)取付片
(14)後部係止片
(15)切起し片
(16)支杆
(16a)中間部
(16b)後向片
(16c)雄ねじ部
(17)締着手段
(18)(19)貫通孔
(20)ナット
(21)縁取り装飾
【図１】
0004813149.tif 000002
【図２】
0004813149.tif 000003
【図３】
0004813149.tif 000004
【図４】
0004813149.tif 000005
【図５】
0004813149.tif 000006